(57)【要約】【課題】関節の開き範囲の調節が容易な保護用手袋を提供する。【解決手段】保護用手袋は、手袋の本体と、上記本体の背側に複数並べて取り付けられ、互いに押し当たることで背側へ向かう上記本体の屈曲を抑制する、複数方向で互いに幅が異なる形状を有した抑制部材と、上記抑制部材を、上記本体に沿って回転自在に保持して上記本体に固定された回転軸と、を備える。【選択図】図１
2019039092.tif 000002
【特許請求の範囲】
【請求項１】
手袋の本体と、
前記本体の背側に複数並べて取り付けられ、互いに押し当たることで背側へ向かう前記本体の屈曲を抑制する、複数方向で互いに幅が異なる形状を有した抑制部材と、
前記抑制部材を、前記本体に沿って回転自在に保持して前記本体に固定された回転軸と、
を備えたことを特徴とする保護用手袋。
【請求項２】
前記本体と前記抑制部材との間に、該本体に対する該抑制部材の滑りやすさを高める滑り部材を備えたことを特徴とする請求項１記載の保護用手袋。
【発明の詳細な説明】
【技術分野】
【０００１】
本発明は、保護用手袋に関し、特に、腱鞘炎などにおける関節保護に用いられる手袋に関する。
【背景技術】
【０００２】
腱鞘炎を患うと、手首や指の関節を開く際に痛みを生じ、ある程度の開き角度を超えて関節を開く場合に痛みを伴うことが多い。意図して関節を開く場合だけで無く、何かを持ち上げる際などに手や指に掛かった力によって関節が押し開かれた場合にも痛みを生じるので、患者は生活の様々な場面で苦慮することになる。
そこで、手首や指の関節がある程度まで自在に開閉可能で、それ以上の開きを阻止するように保護部材を備えた手袋を用いて痛みを防ぐことが考えられる。
【０００３】
例えば特許文献１には、ゴールキーパー用の手袋が開示されており、手袋の背部に中空体を並べて配列し、これら中空体同士が押し合うことで関節の開きを阻止する技術が開示されている。
この特許文献１に記載された手袋を腱鞘炎患者の関節保護用に流用することで、関節が痛むような角度への開きを防止して関節を保護することができる。
【先行技術文献】
【特許文献】
【０００４】
【特許文献１】特表２００２−５３７９５８号公報
【発明の概要】
【発明が解決しようとする課題】
【０００５】
しかしながら、腱鞘炎などが原因で関節の痛みを生じる場合には、患者の個人差によって、痛みを感じる関節の開き範囲が異なる。このため、比較的大きく開いても支障の無い患者に対して開き範囲が狭い手袋を用いると、関節の開きを過剰に制限することになって生活が不便になってしまう。一方、比較的小さな開きでも痛みを感じる患者に対して開き範囲が広い手袋を用いると、関節の保護が不十分となる。更に、腱鞘炎の症状変化によって、痛みを伴わずに関節を開くことができる開き範囲が変化するが、そのような症状変化は、場合によっては日単位で生じるため、患者や介護者が症状に応じて容易に関節の開き範囲を調整できる機構が望まれる。
上記事情に鑑み、本発明は、関節の開き範囲の調節が容易な保護用手袋を提供することを目的とする。
【課題を解決するための手段】
【０００６】
上記目的を達成する保護用手袋は、
手袋の本体と、
【０００７】
上記本体の背側に複数並べて取り付けられ、互いに押し当たることで背側へ向かう上記本体の屈曲を抑制する、複数方向で互いに幅が異なる形状を有した抑制部材と、
上記抑制部材を、上記本体に沿って回転自在に保持して上記本体に固定された回転軸と、
を備える。
【０００８】
このような保護用手袋によれば、複数の抑制部材が互いに押し当たることで関節の開きが抑制され、腱鞘炎の痛みなどから手が保護されることになる。また、回転軸の回りに抑制部材を回転することで、隣の抑制部材を向いた方向の幅を容易に変更することができる。この結果、関節の開き範囲が容易に変更されるので、開き範囲の調整が容易である。
また、上記保護用手袋は、
上記本体と上記抑制部材との間に、本体に対する抑制部材の滑りやすさを高める滑り部材を備えることが好適である。
このような滑り部材を備えることで、抑制部材の回転が容易となり、開き範囲の調整が容易である。
【発明の効果】
【０００９】
本発明の保護用手袋によれば、関節の開き範囲の調節が容易である。
【図面の簡単な説明】
【００１０】
【図１】保護用手袋の第１実施形態を示す図である。
【図２】保護用手袋の第２実施形態を示す図である。
【図３】保護ブロックの列の拡大図である。
【図４】保護ブロックの構造を示す構造図である。
【図５】保護ブロックの作用を示す図である。
【図６】保護範囲の調整方法を示す図である。
【図７】保護ブロックの回転方法を示す図である。
【図８】第３実施形態における保護ブロックの形状を示す図である。  本発明の保護用手袋の実施形態について、以下図面を参照して説明する。  図１は、保護用手袋の第１実施形態を示す図である。
【００１１】
本実施形態の保護用手袋１は、手が挿入されて手や指を覆う手袋本体１０と、手袋本体１０の背側に並んだ樹脂製の複数の保護ブロック１１を備えている。第１実施形態では、指の関節を保護するため、複数の保護ブロック１１は、指に沿って並んでいる。
手袋本体１０は、本発明にいう本体の一例に相当し、保護ブロック１１は、本発明にいう抑制部材の一例に相当する。
【００１２】
本実施形態の場合、手袋本体１０には伸縮性の大きい素材が用いられているため、保護ブロック１１の列と手袋本体１０との間には、伸縮性の小さい人工皮革からなる帯状の下地シート１２が設けられている。下地シート１２は、手袋本体１０に固着され、手袋本体１０と一体化している。保護ブロック１１は、直接には下地シート１２に取り付けられており、これにより間接的に手袋本体１０に取り付けられている。手袋本体１０の素材が伸縮性の小さい素材である場合には、保護ブロック１１は、手袋本体１０に直接取り付けられてもよい。
【００１３】
伸縮性の大きい手袋本体１０に伸縮性の小さい下地シート１２が固着され、その下地シート１２を介して保護ブロック１１が手袋本体１０に間接的に取り付けられた構造は、保護用手袋１の着脱が容易であると共に、保護用手袋１を装着した状態での作業性も高い。従って、腱鞘炎などの保護のために保護用手袋１を装着する装着者は、保護用手袋１を装着した状態で日常作業などを容易に行うことができる。
図２は、保護用手袋の第２実施形態を示す図である。
【００１４】
第２実施形態の保護用手袋２も、手袋本体１０と複数の保護ブロック１１を備えている。第２実施形態では、手首の関節を保護するため、複数の保護ブロック１１は、手首の関節を跨ぐ方向に並んでいる。また、関節保護の強度を増すため、保護ブロック１１は、並行して２列設けられている。
【００１５】
第２実施形態でも、人工皮革からなる帯状の下地シート１２が手袋本体１０に固着されて一体化されており、保護ブロック１１は下地シート１２に取り付けられている。
また、第２実施形態では、保護ブロック１１の列が手首から浮かないように、固定ベルト１３も設けられている。
図３は、保護ブロック１１の列の拡大図である。
【００１６】
下地シート１２は、伸縮性は小さいが可撓性は高いので、手袋本体１０（図１参照）と共に自在に曲げられ、例えば関節の曲がりに伴って図３に示すように曲げられる。上述した第１実施形態および第２実施形態では長方形の保護ブロック１１が用いられており、保護ブロック１１は、下地シート１２の表面から突き出した回転軸１４の回りに回転することで、下地シート１２の表面に沿って（即ち手袋本体１０の表面に沿って）回転し、長辺の向きが変わる。この回転軸１４が、本発明にいう回転軸の一例に相当する。
図４は、保護ブロック１１の構造を示す構造図である。
図４には、１つの保護ブロック１１について側面図（Ａ）と上面図(Ｂ）が示されている。
【００１７】
回転軸１４は下地シート１２（および手袋本体１０）に固定され、下地シート１２から突き出して保護ブロック１１を貫通している。保護ブロック１１は、回転軸１４によって回転自在に保持されている。保護ブロック１１と下地シート１２との間には、保護ブロック１１の滑りをよくするためアルミ板１５が挟まれている。アルミ板１５は、下地シート１２との摩擦が強く保護ブロック１１との摩擦が低いので、アルミ板１５と下地シート１２とは滑らず、保護ブロック１１はアルミ板１５の上で滑らかに回転する。このアルミ板１５が、本発明にいう滑り部材の一例に相当する。
図５は、保護ブロックの作用を示す図である。
図５（Ａ）には、下地シート１２が平らな場合が示され、図５（Ｂ）には、下地シート１２が、関節の開く方向に曲げられた場合が示されている。
【００１８】
図５（Ａ）に示すように下地シート１２（および手袋本体１０）が平らな状態や、関節の閉じる方向に下地シート１２が曲がった状態は、保護ブロック１１が互いに接触しないので、関節は自由に曲げ伸ばしできる。
【００１９】
図５（Ｂ）に示すように、関節の開く方向に下地シート１２がある程度曲がると保護ブロック１１が互いに接触して押し付け合い下地シート１２の曲がりを抑制する。つまり、関節の開く方向に外力などが掛かった場合には、保護ブロック１１および下地シート１２が添え木のような役目を果たして関節の開きが抑制されるので、腱鞘炎の痛みなどから関節が保護される。
【００２０】
保護ブロック１１によって関節が保護される開き範囲は、保護ブロック１１の上面１１ａ同士の隙間の大きさによって決まる。第１実施形態及び第２実施形態では保護ブロック１１の形状が直方体であるため、保護ブロック１１の上面１１ａ同士の隙間の大きさは、保護ブロック１１同士の隙間の大きさに等しい。
【００２１】
保護ブロック１１（の上面１１ａ）同士の隙間が大きいと、下地シート１２が大きく曲がった場合に保護ブロック１１が互いに接触する。保護ブロック１１（の上面１１ａ）同士の隙間が小さいと、下地シート１２が小さく曲がっても保護ブロック１１が互いに接触する。
図６は、保護範囲の調整方法を示す図である。
【００２２】
上述したように、保護ブロック１１は回転軸１４の周りに回転自在となっており、保護ブロック１１は直方体であるため長辺と短辺の長さが異なる。このため、保護ブロック１１が回転軸１４の周りに９０度回転することによって保護ブロック１１（の上面１１ａ）同士の隙間の大きさが変わり、その結果、保護ブロック１１同士の押し合いによって保護される関節の角度範囲が変わる。複数並んだ保護ブロック１１の全てを同じ向きに揃えると、図６（Ａ）に示すように全ての隙間が小さくなるか、図６（Ｂ）に示すように全ての隙間が大きくなる。図６（Ａ）に示す場合には関節の開きが最小で保護ブロック１１同士が接触することになり、図６（Ｂ）に示す場合には関節の開きが最大で保護ブロック１１同士が接触することになる。
【００２３】
実際の使用に際しては、関節が痛む範囲に合わせて、複数並んだ保護ブロック１１のうち任意の数や位置の保護ブロック１１について患者（装着者）や介護者が向きを変更することで、関節の保護範囲が適切な範囲に調整されることになる。
図７は、保護ブロック１１の回転方法を示す図である。
図７（Ａ）には、下地シート１２が平らな状態が示されており、図７（Ｂ）には、下地シート１２が大きく折り曲げられた状態が示されている。
【００２４】
図７（Ａ）に示すように下地シート１２が平らな状態では、保護ブロック１１の回転に際して隣の保護ブロック１１がぶつかり回転できない。そこで、保護ブロック１１の回転に際しては、下地シート１２（および手袋本体１０）が、図７（Ｂ）に示すように十分に大きく折り曲げられることで、隣の保護ブロック１１にぶつからずに回転できるようになる。なお、図７（Ｂ）に示すような大きな折り曲げは、手袋本体１０（図１参照）に手が入った状態では実現が難しいので、保護ブロック１１の回転、即ち保護範囲の調整は、手袋本体１０から手が抜かれた状態で実行される。
【００２５】
以上説明した第１実施形態及び第２実施形態では、下地シート１２が平らな状態から関節の比較方向に曲げられた場合に保護ブロック１１同士が接触して関節の開きが抑制される例が示されている。しかし、腱鞘炎などを患った場合には、下地シート１２が平らになる程度の関節の開きでも痛みを感じる場合がある。そこで、以下説明する第３実施形態では、関節の開きが１８０度未満でも関節が保護されるように工夫されている。
【００２６】
この第３実施形態は、上記第１実施形態や第２実施形態に対し、保護ブロックの形状が異なる点を除いて同様の実施形態であるため、以下では、相違点のみに着目した説明を行い、重複説明は省略する。
図８は、第３実施形態における保護ブロックの形状を示す図である。
【００２７】
第３実施形態における保護ブロック１５は、上面１５ａが下面１５ｂよりも長い台形状の保護ブロック１５となっている。そして、保護ブロック１５同士の間隔が上面１５ａの長さよりも狭いため、下地シート１２が平らに（即ち１８０度に）開くよりも前に保護ブロック１５同士が接触し、関節の開きが抑制されることになる。
【００２８】
このような台形状の保護ブロック１５は、複数並んだ保護ブロックの全てに適用されてもよいし、一部の保護ブロックのみが台形状の保護ブロック１５となっていてもよい。また、図８の紙面に平行な断面では保護ブロック１５は台形状であるが、図８の紙面に垂直で下地シート１２にも垂直な断面では、保護ブロック１５は、台形状であってもよいし長方形や正方形であってもよく、更には、上面１５ａよりも下面１５ｂが長い台形状であってもよい。
【００２９】
上記説明した各実施形態では、上面形状が四角形の保護ブロックが好適な例として例示されているが、本発明にいう抑制部材は、四角形以外の、例えば六角形などの形状を有するものであってもよい。
【００３０】
上記説明した各実施形態では、本発明にいう滑り部材の一例としてアルミ板が備えられているが、本発明にいう滑り部材は必須ではない。また、本発明にいう滑り部材の素材は、アルミ以外の素材であってもよい。
【符号の説明】
【００３１】
１    保護用手袋
１０    手袋本体
１１，１５    保護ブロック
１２    下地シート
１３    固定ベルト
１４    回転軸
【図１】
2019039092.tif 000003
【図２】
2019039092.tif 000004
【図３】
2019039092.tif 000005
【図４】
2019039092.tif 000006
【図５】
2019039092.tif 000007
【図６】
2019039092.tif 000008
【図７】
2019039092.tif 000009
【図８】
2019039092.tif 000010
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
手袋の本体と、
前記本体の背側に複数並べて取り付けられ、互いに押し当たることで背側へ向かう前記本体の屈曲を抑制する、複数方向で互いに幅が異なる形状を有した抑制部材と、
前記抑制部材を、前記本体に沿って回転自在に保持し、前記本体に対し直接に固定され、あるいは該本体に固定された補助部材を介して該本体に間接に固定された回転軸と、
を備えたことを特徴とする保護用手袋。
【請求項２】
前記本体あるいは前記補助部材と前記抑制部材との間に、該本体あるいは該補助部材に対する該抑制部材の滑りやすさを高める滑り部材を備えたことを特徴とする請求項１記載の保護用手袋。
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
手袋の本体と、
前記本体の背側に複数並べて取り付けられ、互いに押し当たることで背側へ向かう前記本体の屈曲を抑制する、複数方向で互いに幅が異なる形状を有した抑制部材と、
前記抑制部材を、前記本体に沿って回転自在に保持し、前記本体に対し直接に固定され、あるいは該本体に固定された下地シートを介して該本体に間接に固定された回転軸と、
を備えたことを特徴とする保護用手袋。
【請求項２】
前記本体あるいは前記下地シートと前記抑制部材との間に、該本体あるいは該下地シートに対する該抑制部材の滑りやすさを高める滑り部材を備えたことを特徴とする請求項１記載の保護用手袋。